(57)【要約】【課題】  日射遮蔽装置のヘッドボックスから垂下する操作コードが幼児に絡むことによる安全上の事故を未然に防止することである。【解決手段】  日射遮蔽装置のヘッドボックスから引き出される複数の昇降コードの端末を結束するコードターミナルから垂下する操作コードの端末を、幼児の力でも容易に結合を解除することができる結合部材、例えば、マジックテープ（登録商標）等の針布状接合片、スナップ継手等を介して日射遮蔽材の裏面に止着することを特徴とする。【選択図】      図１
2006070448.tif 000002
【特許請求の範囲】
【請求項１】
日射遮蔽装置のヘッドボックスから引き出される複数の昇降コードの端末を結束するコードターミナルから垂下する操作コードの端末であって、前記操作コード端末は脱着可能な結合部材を介して日射遮蔽材の裏面に止着され、前記結合部材の結合は、幼児の力で解除可能であることを特徴としてなる日射遮蔽装置の操作コード端末。
【請求項２】
操作コード側の結合部材半部は、操作コード端末に付設されるマジックテープ（登録商標）等の針布状接合片であり、日射遮蔽材側の結合部材半部も、日射遮蔽材の裏面に添着される針布状接合片であることを特徴としてなる請求項１に記載の日射遮蔽装置の操作コード端末。
【請求項３】
針布状接合片は、日射遮蔽材裏面の折り目を除く部分に添着されることを特徴としてなる請求項２に記載の日射遮蔽装置の操作コード端末。
【請求項４】
結合部材は継手軸部と継手軸受部が弾性的に出入して結合するスナップ継手であり、前記継手軸受部は操作コード端末に付設され、前記継ぎ軸部は日射遮蔽材の裏面に添着されるコード挿通リング又はコードアジャスタと一体成形されることを特徴としてなる請求項１に記載の日射遮蔽装置の操作コード端末。
【発明の詳細な説明】
【技術分野】
【０００１】
本発明は、日射遮蔽装置のヘッドボックスから引き出される複数の昇降コードの端末を結合するコードターミナルから垂下する操作コードの端末に関する。
【背景技術】
【０００２】
ベネシャンブラインド、ローマンシェード等の日射遮蔽装置において、日射遮蔽材を開閉する複数の昇降コードはヘッドボックスからコードストッパを介して引き出され、それらの端末はコードターミナルに結束される。そのコードターミナルは日射遮蔽装置の開閉操作用グリップとして使用される。しかし、このコードターミナルが高い位置にあるときは、操作に不便であるため、コードターミナルから垂下する操作コードを操作する。コードターミナルが低い位置にあるときは、操作コードの端末を放置すると、見苦しく垂れ下がるため、通常、特開２００２−３３９６７０号公報に記載されているように、操作コードの端末はウェイトバーに止め金具を介して止着される。
【０００３】
幼児は、日射遮蔽装置の日射遮蔽材に隠れたり出たりして遊ぶため、操作コードの端末をウェイトバーに止め金具を介して止着すると、幼児が、日射遮蔽材と戯れているときに、操作コードが幼児の首に掛かって幼児の首を絞め、安全上の大事故を起こすおそれがある。
【特許文献１】特開２００２−３３９６７０号公報
【発明の開示】
【発明が解決しようとする課題】
【０００４】
本発明は、この問題を解決するためになされたものであり、その課題は、日射遮蔽装置の昇降コードターミナルから垂下する操作コードが幼児の首を絞めるという安全上の事故を未然に防止することである。
【課題を解決するための手段】
【０００５】
前記課題を達成するため、本発明が採用する手段は、日射遮蔽装置のヘッドボックスから引き出される複数の昇降コードの端末を結束するコードターミナルから垂下する操作コードの端末を、幼児の力で解除可能な結合部材を介して日射遮蔽材の裏面に止着することを特徴とする。
【発明の効果】
【０００６】
本発明は、上記手段により、日射遮蔽装置の操作コード端末を日射遮蔽部材の裏面に止着する結合部材は、幼児の力で直ぐ結合を解除し、操作コードの端末は日射遮蔽部材の裏面から外れて自由端となるから、操作コーダが幼児の首に掛かっても、幼児の首が絞められるおそれはない。
【発明を実施するための最良の形態】
【０００７】
本発明の操作コード端末を日射遮蔽部材の裏面に止着する結合部材は、コストの点で、マジックテープ（登録商標）等の針布状接合片、又は継手軸部と円筒型継手軸受部が弾性的に出入して結合するスナップ継手とすることが好ましい。結合部材が針布状接合片の場合、操作コード側半部は、操作コード端末に付設し、日射遮蔽材側の結合部材半部は、日射遮蔽材の裏面に添着する。日射遮蔽材に折り目のないときは、上下に長い針布状接合片を添着するが、折り目があるときは、分断した針布状接合片を折り目を避けて添着する。結合部材がスナップ継手の場合、継手軸受部は、操作コード端末に付設し、継手軸部は日射遮蔽材の裏面に添着されるコード挿通リング又はコードアジャスタと一体成形する。
【実施例】
【０００８】
本発明を図面に示す実施例に基づいて説明する。図１は、本発明実施例の操作コード端末を備えるローマンシェードの側面図、図２は操作コード端末の拡大斜視図、本発明実施例の、図３及び図４はローマンシェードの要部裏面図である。
【０００９】
図１及び図２に示すように、ローマンシェード１の昇降コード２の一端はヘッドボックス３から出てコードターミナル４に結着され、他端はスクリーン５の裏面に添着されたコード挿通リング６を貫通垂下してコードアジャスタ７に止着される。操作コード８の先端はコードターミナル４に、端末は針布状接合片９にそれぞれ結着される。
【００１０】
図１及び図３に示すように、スクリーン５の裏面の操作側縁部には、ヘッドボックス３からウェイトバー１３に至る長いの針布状接合片１０が接着されている。その針布状接合片１０に操作コード端末に結着された針布状接合片９が押し付けられて結合する。
【００１１】
図４に示すように、スクリーン５が折り目１４を形成するときは、針布状接合片１０は短い断片に分断して折り目を跨がないように裏面に添着する。分断した針布状接合片１０のいずれか１つに、操作コード８の端末に結着した針布状接合片９を押し付け結合する。
【００１２】
スクリーン５を上昇させるために操作コード８を引くときは、針布状接合片９に張力は作用しない。しかし、幼児がスクリ−ン５と戯れているときに、操作コード８が幼児に絡むと、幼児の引く力が針布状接合片９に作用する。その結果、操作コード端末側の針布状接合片９は直ぐにスクリーン裏面側の針布状接合片１０から引き剥がされ、操作コード８の端末は自由端となるから、幼児に絡んだ操作コード８が幼児を締め付けるおそれはない。
【００１３】
次に、図面に示す別の実施例を説明する。図５は別の実施例の操作コード端末を備えるローマンシェードの要部裏面図、図６は操作コード端末とコードアジャスタの拡大側面図、図７はコード挿通リングの拡大立面図である。
【００１４】
図５に示すように、ローマンシェード１ａの昇降コード２ａの一端はヘッドボックス３ａから出てコードターミナル４ａに結着され、他端はスクリーン５ａの裏面に添着されたコード挿通リング６ａを貫通垂下してコードアジャスタ７ａに止着される。そのコードアジャスタ７ａにコードターミナル４ａから垂下する操作コード８ａの端末が継手軸受部１１を介して結合する。
【００１５】
図６に示すように、操作コード８ａの端末は結び目を介して継手軸受部１１に結着し、継手軸受部１１は、矢印で示すように、コードアジャスタ７の下端部に一体成形されたスナップ継手軸部１２に嵌着して結合する。図７に示すように、継手軸部１２はコード挿通リング６の下端部にも一体成形されているので、矢印で示すように、継手軸受部１１をコード挿通リング６の下端部に嵌着して結合することも可能である。
【００１６】
継手軸受部１１は内周面に突起１５を有し、継手軸部１２は先端側に底径が突起１５の内径よりも大きい先細り切頭円錐台形の頭部１６を備える。継手軸部１２に継手軸受部１１を少し強く押し込むと、突起１５が頭部１６を弾性的に乗り越え、両者は直ぐに結合してスナップ継手となる。
【００１７】
結合しているスナップ継手の継手軸受部１１を少し強く引き抜くと、突起１５が頭部１６を弾性的に乗り越え、スナップ継手は直ぐに分離する。したがって、操作コード８ａが幼児に掛かると、幼児の力でスナップ継手は直ぐに分離し、操作コード８ａの端末は自由端となるから、幼児に掛かった操作コード８ａが幼児を締め付けるおそれはない。
【図面の簡単な説明】
【００１８】
【図１】本発明実施例の操作コード端末を備えるローマンシェードの側面図、
【図２】操作コード端末の拡大斜視図、
【図３】スクリーンが折り目を形成しないローマンシェードの部分裏面図、
【図４】スクリーンが折り目を形成するローマンシェードの部分裏面図、
【図５】別の実施例の操作コード端末を備えるローマンシェードの要部裏面図、
【図６】操作コード端末とコードアジャスタの拡大側面図、
【図７】コード挿通リングの拡大立面図、
【符号の説明】
【００１９】
１、１ａ：ローマンシェード
２、２ａ：昇降コード
３、３ａ：ヘッドボックス
４、４ａ：コードターミナル
５、５ａ：スクリーン
６、６ａ：コード挿通リング
７、７ａ：コードアジャスタ
８，８ａ：操作コード
９：針布状接合片（操作コード側）
１０：針布状接合片（日射遮蔽剤側）
１１：継手軸受部（操作コード側）
１２：継手軸部（日射遮蔽剤側）
１３：ウェイトバー
１４：折り目
１５：突起
１６：頭部
【図１】
2006070448.tif 000003
【図２】
2006070448.tif 000004
【図３】
2006070448.tif 000005
【図４】
2006070448.tif 000006
【図５】
2006070448.tif 000007
【図６】
2006070448.tif 000008
【図７】
2006070448.tif 000009